(57)【要約】      （修正有）【課題】容易に収納可能であると共に、必要とされる番号等を容易に探すことができるゼッケンを提供する。【解決手段】胸面側シート体１０および背面側シート体１０を備えたゼッケン１であって、胸面側シート体１０および背面側シート体２０の少なくとも一方の裏面に、個々を識別可能な収納部３０が設けられており、胸面側シート体１０および背面側シート体２０が、それぞれのシート体１０，２０の表面１０Ａ，２０Ａを接触させ重ね合わせてから折り畳まれた状態で、収納部３０を裏返すことによって、収納部３０内に収納可能である。【選択図】図１
0003134825.tif 000002
【実用新案登録請求の範囲】
【請求項１】
胸面側シート体および背面側シート体を備えたゼッケンであって、
前記胸面側シート体および前記背面側シート体の少なくとも一方の裏面に、個々を識別可能な収納部が設けられており、
前記胸面側シート体および前記背面側シート体が、それぞれのシート体の表面を接触させ重ね合わせてから折り畳まれた状態で、前記収納部を裏返すことによって、前記収納部内に収納可能である
ことを特徴とするゼッケン。
【請求項２】
前記胸面側シート体の表面および前記背面側シート体の表面の少なくとも一方に、着脱自在の補助シート体が設けられている
請求項１に記載のゼッケン。
【請求項３】
胸面側シート体および背面側シート体を備えたゼッケンであって、
前記胸面側シート体と前記背面側シート体とが複数の装着紐部にて連結されており、少なくとも一つの装着紐部の一方端部が、前記胸面側シート体および前記背面側シート体の少なくとも一方に対して着脱自在に設けられており、
前記胸面側シート体の表面および前記背面側シート体の表面の少なくとも一方に、着脱自在の補助シート体が設けられており、
前記胸面側シート体および前記背面側シート体の少なくとも一方の裏面に、個々を識別可能な収納部が設けられており、前記装着紐部、前記胸面側シート体、および前記背面側シート体が、それぞれのシート体の表面を接触させ重ね合わせてから折り畳まれた状態で、前記収納部を裏返すことによって、前記収納部内に収納可能である
ことを特徴とするゼッケン。
【考案の詳細な説明】
【技術分野】
【０００１】
本考案は、各種競技における競技者等をそれぞれ識別するために用いられる、ゼッケンに関するものである。
【背景技術】
【０００２】
従来から、小学校・中学校・高等学校等の体育大会、またはマラソン等の陸上競技大会において、これらの大会に参加する競技者等は、番号、競技者名、学校名、クラス（○年△組等）、あるいは所属団体名等のいずれか(あるいはこれらの二つ以上)が記載された「ゼッケン」を装着した状態で、各種競技を行っている。
【０００３】
このようなゼッケンとしては、例えば、布製のシート体に上述した番号等を記載したものが知られている。そして、従来技術においては、この番号等が記載されたシート体が、シャツに直接縫合されたり、シャツに安全ピン等で取り付けられたり、シート体の四隅に設けられた紐等の装着部材を用いる等して、競技者等の胸面側および背面側の少なくとも一方に装着されて、ゼッケンとして使用されている。
【０００４】
上記のように構成され使用されるゼッケンについては、従来から、種々の考案がなされている。例えば、組み立て方に特徴を有するゼッケンに関する技術（特許文献１参照）や装着方法に特徴を有するゼッケンに関する技術（特許文献２参照）等が知られている。
【０００５】
ところで、このようなゼッケンは、使用前後において、個人あるいは学校・所属団体等で管理（保管）される。複数のゼッケンを管理する場合には、通常、一つ一つのゼッケンを広げた状態で重ね合わせ、このように広げた常態で積み重ねられたゼッケンが、ダンボール箱等に収納される。そして、これらのゼッケンを再度使用する場合には、必要な番号等のゼッケンを、そのダンボール箱等の中から選び出して使用する。
【０００６】
従来のゼッケンに関する管理使用方法は、上述した通りであるため、ゼッケンを再度使用等する場合には、積み重ねられた多数のゼッケンを一つ一つ確認しながら、必要な番号等のゼッケンを探し出さなければならない。特に、学校等においては、多数のゼッケンを管理・保管しているため、その中から必要なゼッケン等を見つけ出すのは非常に困難である。
【０００７】
加えて、ゼッケンは、複数のシート体（胸面側シート体、背面側シート体）や複数の紐状部材を用いて構成されているため、ダンボール箱等に収納する際に非常に煩雑である。また、ダンボール箱等の中から必要なゼッケン等を探す場合にも、それぞれのゼッケンに設けられている紐状部材が煩わしいだけでなく、一枚一枚めくりながらゼッケンの番号等を確認するのも非常に困難である。
【０００８】
さらに、上述したように、従来技術においては、組み立て方や装着方法に特徴を有するゼッケンに関する技術（特許文献１、特許文献２等参照）はいくつか公知となっているが、収納・保管・管理・検索性に優れたゼッケンについては、知られていない。
【０００９】
【特許文献１】特開平５−２４９８９８号公報
【特許文献２】実用新案登録第３１１９０１６号公報
【考案の開示】
【考案が解決しようとする課題】
【００１０】
そこで、本考案は、上記従来技術の問題を解決するためになされたものであり、容易に収納可能であると共に、必要とされる番号等を容易に探すことができるゼッケンを提供することを課題とする。すなわち、本考案は、収納・保管・管理・検索性に優れたゼッケンを提供することを課題とする。
【課題を解決するための手段】
【００１１】
本考案は、上記課題を解決するためになされたものであり、胸面側シート体および背面側シート体を備えたゼッケンであって、前記胸面側シート体および前記背面側シート体の少なくとも一方の裏面に、個々を識別可能な収納部が設けられており、前記胸面側シート体および前記背面側シート体が、それぞれのシート体の表面を接触させ重ね合わせてから折り畳まれた状態で、前記収納部を裏返すことによって、前記収納部内に収納可能であることを特徴としている。
【００１２】
より具体的には、前記収納部は、一部に開口部を有するように、前記胸面側シート体および前記背面側シート体の少なくとも一方の裏面に設けられている。さらに換言すれば、前記収納部は、前記胸面側シート体および前記背面側シート体の少なくとも一方の裏面に、ポケット状に構成されている。そして、前記収納部には、そのゼッケンに記載されている番号等を識別するための識別番号（例えば、そのゼッケン番号、学校名、クラス名、団体名等）が記載されている。この識別番号は、前記収納部を裏返した際に、外部から識別可能なように記載されている。
【００１３】
このような構成によれば、前記胸面側シート体および前記背面側シート体が折り畳まれた状態で前記収納部内に収納されるため、前記ゼッケンは、コンパクトな形状にてダンボール箱等に整理して保管・管理可能となる。また、本考案によれば、前記収納部は、個々を識別可能に構成されている（例えば、裏返した状態の前記収納部にゼッケン番号等を示す識別番号が記載されている）。したがって、このような構成によれば、それぞれのシート体が折り畳まれた状態で、個々を識別可能な前記収納部内に収納されているため、容易に収納可能であると共に、必要とされる番号等を容易に探すことができるゼッケンを得ることができる。
【００１４】
また、本考案にかかるゼッケンにおいては、前記胸面側シート体の表面および前記背面側シート体の表面の少なくとも一方に、着脱自在の補助シート体が設けられている構成が好ましい。
【００１５】
この好ましい構成によれば、上述した種々の効果に加え、前記補助シート体を利用することによって、ゼッケンを多用途に利用可能である。つまり、前記補助シート体を必要に応じて取替え可能であるため、ゼッケン全体の書き換え等を行うことなく、ゼッケンを複数の用途に使用可能となる。
【００１６】
さらに、本考案は、上記課題を解決するためになされたものであり、胸面側シート体および背面側シート体を備えたゼッケンであって、前記胸面側シート体と前記背面側シート体とが複数の装着紐部にて連結されており、少なくとも一つの装着紐部の一方端部が、前記胸面側シート体および前記背面側シート体の少なくとも一方に対して着脱自在に設けられており、前記胸面側シート体の表面および前記背面側シート体の表面の少なくとも一方に、着脱自在の補助シート体が設けられており、前記胸面側シート体および前記背面側シート体の少なくとも一方の裏面に、個々を識別可能な収納部が設けられており、前記装着紐部、前記胸面側シート体、および前記背面側シート体が、それぞれのシート体の表面を接触させ重ね合わせてから折り畳まれた状態で、前記収納部を裏返すことによって、前記収納部内に収納可能であることを特徴としている。
【００１７】
このような構成によれば、前記装着紐部、前記胸面側シート体、および前記背面側シート体が折り畳まれた状態で前記収納部内に収納されるため、前記ゼッケンは、コンパクトな形状にてダンボール箱等に整理して保管・管理可能となる。また、本考案によれば、前記収納部は、個々を識別可能に構成されている（例えば、裏返した状態の前記収納部にゼッケン番号等を示す識別番号が記載されている）。さらに、本考案によれば、前記補助シート体を利用することによって、ゼッケンを多用途に利用可能である。つまり、前記補助シート体を必要に応じて取替え可能であるため、ゼッケン全体の書き換え等を行うことなく、ゼッケンを複数の用途に使用可能となる。
したがって、このような構成によれば、それぞれのシート体や装着紐部が折り畳まれた状態で、個々を識別可能な前記収納部内に収納されているため、容易に収納可能であると共に、必要とされる番号等を容易に探すことができるゼッケンを得ることができる。
【考案の効果】
【００１８】
本考案によれば、容易に収納可能であると共に、必要とされる番号等を容易に探すことができるゼッケンを得ることができる。つまり、本考案によれば、収納・保管・管理・検索性に優れたゼッケンを得ることができる。
【考案を実施するための最良の形態】
【００１９】
以下、図面に基づいて、本考案の実施形態を説明する。
【００２０】
図１は、本考案の実施形態にかかるゼッケン１の概略斜視図を示したものである。また、図２は、本考案の実施形態にかかるゼッケン１の収納方法に関する説明図を示したものである。さらに、図３は、本考案の実施形態にかかるゼッケン１を収納した状態の概略斜視図を示したものである。つまり、この図３は、収納された状態（コンパクトな状態）のゼッケン１の概略斜視図を示している。また、図４は、本考案の実施形態にかかるゼッケン１を構成する補助シート体に関する説明図を示したものである。
【００２１】
図１等に示すように、本実施形態にかかるゼッケン１は、胸面側シート体１０と背面側シート体２０とを備え、これらのシート体１０，２０が複数の装着紐部４１，４２，４３，４４，４５，４６を用いて連結されている。
【００２２】
より具体的には、胸面側シート体１０と背面側シート体２０の上方角部の一方が上方向に弧を描くように第一装着紐部４１にて連結され、胸面側シート体１０と背面側シート体２０の上方角部の他方が上方向に弧を描くように第二装着紐部４２にて連結されている。また、胸面側シート体１０と背面側シート体２０の一方側上部が横方向に弧を描くように第三装着紐部４３にて連結され、胸面側シート体１０と背面側シート体２０の一方側下部が横方向に弧を描くように第四装着紐部４４にて連結されている。さらに、胸面側シート体１０と背面側シート体２０の他方側上部が横方向に弧を描くように第五装着紐部４５にて連結可能に構成され、胸面側シート体１０と背面側シート体２０の他方側下部が横方向に弧を描くように第六装着紐部４６にて連結可能に構成されている。
【００２３】
ここで、第五装着紐部４５および第六装着紐部４６における「連結可能」とは、これらの装着紐部４５，４６の一方端部が、胸面側シート体１０および背面側シート体２０の少なくとも一方に対して着脱自在に設けられていることを意味する。
【００２４】
本実施形態において、第五装着紐部４５の一方端部には、面ファスナ等にて構成された上部取付部４７が設けられ、この第五装着紐部４５の他方端部は、胸面側シート体１０の他方側上部に縫合等して取り付けられており、背面側シート体２０の裏面（背面側シート体裏面）２０Ｂには上部取付部４７に対応して、面ファスナ等にて構成された上部被取付部７７が設けられている。
【００２５】
また、第六装着紐部４６の一方端部には、面ファスナ等にて構成された下部取付部４８が設けられ、この第六装着紐部４６の他方端部は、胸面側シート体１０の他方側下部に縫合等して取り付けられており、背面側シート体２０の裏面（背面側シート体裏面）２０Ｂには下部取付部４８に対応して、面ファスナ等にて構成された下部被取付部７８が設けられている。
【００２６】
さらに、それぞれのシート体１０，２０と装着紐部（第一装着紐部４１，第二装着紐部４２，第三装着紐部４３，第四装着紐部４４，第五装着紐部４５，第六装着紐部４６）とが連結される場合には、各部材を重ね合わせて縫合等がなされる。
【００２７】
胸面側シート体１０の表面（胸面側シート体表面）１０Ａには、そのゼッケンごとに定められた番号（本実施形態においては数字の「１０」）が記載されており、胸面側シート体表面１０Ａの下方位置には（その記載された番号の下方位置には）、番号や所属団体名等を記載可能な胸面側補助シート体５０が設けられている。なお、当然のことながら、図1等に示したゼッケン１の胸面側シート体表面１０Ａに記載される内容は、本実施形態に示すような「番号（１０）」に限定されず、必要に応じて、所属団体名（学校名、クラス名等）、競技者の氏名等、スポンサー名等、どのようなものでもよい。また、胸面側補助シート体５０の表面（胸面側補助シート体表面）５０Ａに記載される内容についても、必要に応じて、所属団体名（学校名、クラス名等）、競技者の氏名等、スポンサー名等、どのようなものでもよい。
【００２８】
本実施形態にかかる胸面側補助シート体５０は、図４に示すように、胸面側シート体表面１０Ａに対して着脱自在に構成されている。より具体的には、胸面側補助シート体５０の裏面（胸面側補助シート体裏面）５０Ｂには、面ファスナ等にて構成された六つの取付部（胸面側補助シート体第一取付部５４，胸面側補助シート体第二取付部５５，胸面側補助シート体第三取付部５６，胸面側補助シート体第四取付部５７，胸面側補助シート体第五取付部５８，胸面側補助シート体第六取付部５９）が設けられており、これに対応して、胸面側シート体表面１０Ａにも、面ファスナ等にて構成された六つの取付部（胸面側第一取付部１４，胸面側第二取付部１５，胸面側第三取付部１６，胸面側第四取付部１７，胸面側第五取付部１８，胸面側第六取付部１９）が設けられている。
【００２９】
また、背面側シート体２０の表面（胸面側シート体表面）２０Ａについても、胸面側シート体表面１０Ａと同様に、そのゼッケンごとに定められた番号（本実施形態においては数字の「１０」）が記載されており、背面側シート体表面２０Ａの下方位置には（その記載された番号の下方位置には）、番号や所属団体名等を記載可能な背面側補助シート体６０が設けられている。なお、この背面側シート体２０についても、胸面側シート体１０と同様に、図1等に示したゼッケン１の背面側シート体表面２０Ａに記載される内容は、本実施形態に示すような「番号（１０）」に限定されず、必要に応じて、所属団体名（学校名、クラス名等）、競技者の氏名等、スポンサー名等、どのようなものでもよい。また、背面側補助シート体６０の表面（背面側補助シート体表面）６０Ａに記載される内容についても、必要に応じて、所属団体名（学校名、クラス名等）、競技者の氏名等、スポンサー名等、どのようなものでもよい。
【００３０】
本実施形態にかかる背面側補助シート体６０は、図４に示すように、背面側シート体表面２０Ａに対して着脱自在に構成されている。より具体的には、上述した胸面側補助シート体５０等と同様に、背面側補助シート体６０の裏面（背面側補助シート体裏面）６０Ｂには、面ファスナ等にて構成された六つの取付部（背面側補助シート体第一取付部６４，背面側補助シート体第二取付部６５，背面側補助シート体第三取付部６６，背面側補助シート体第四取付部６７，背面側補助シート体第五取付部６８，背面側補助シート体第六取付部６９）が設けられており、これに対応して、背面側シート体表面２０Ａにも、面ファスナ等にて構成された六つの取付部（背面側第一取付部２４，背面側第二取付部２５，背面側第三取付部２６，背面側第四取付部２７，背面側第五取付部２８，背面側第六取付部２９）が設けられている。
【００３１】
さらに、本実施形態にかかる背面シート体２０の裏面（背面側シート体裏面）２０Ｂには、図１等に示すように、収納部３０が設けられている。より具体的には、この収納部３０は、背面側シート体裏面２０Ｂに対して、一部に（本実施形態においては、図１における収納部３０の上辺部に）開口部（収納部開口部）３０Ｃを有するように設けられている（縫合等されている）。換言すれば、収納部３０は、背面側シート体裏面２０Ｂに、ポケット状に構成されている。
【００３２】
この収納部３０は、図１に示すように、ゼッケン１が通常の使用状態（競技者着用可能状態）にあるときは、その表面（収納部表面）３０Ａが背面側シート体裏面２０Ｂに接するように、背面側シート体２０に縫合されている。すなわち、図１において、競技者の背中に接する面が、収納部裏面３０Ｂであり、背面側シート体裏面２０Ｂに接する面が、収納部表面３０Ａである。
【００３３】
そして、この収納部３０には、個々のゼッケン１を識別可能なように、その表面（収納部表面）３０Ａに、収納部記載領域３１が設けられている（図３等参照）。収納部記載領域３１には、第一記載部３２、第二記載部３３、第三記載部３４が設けられており、これらの記載部３２，３３，３４に、そのゼッケン１に記載されている番号等を識別するための識別番号（例えば、そのゼッケン番号、学校名、クラス名、団体名等）が記載されている。本実施形態においては、第一記載部３２に、ゼッケン番号「１０」が記載されている。この収納部記載領域３１は、後述するように、ゼッケン１収納時に収納部３０を裏返した際に、外部から識別可能なように構成されている。
【００３４】
本実施形態にかかるゼッケン１は、以上のように構成されており、上述したように、図１のような状態で競技者に使用される。より具体的には、図１における第一装着紐部４１と第二装着紐部４２との間に頭を通し、第一装着紐部４１と第三装着紐部４３との間に右腕を通し、第二装着紐部４２と第五装着紐部４５との間に左腕を通し、上部取付部４７と上部被取付部７７とを接合させ、下部取付部４８と下部被取付部７８とを接合させることによって、競技者がゼッケン１を装着することができる。
【００３５】
また、競技者がゼッケン１を取り外す場合には、上部被取付部７７から上部取付部４７を取り外し、下部被取付部７８から下部取付部４８を取り外してから、第一装着紐部４１と第二装着紐部４２との間から頭を抜いて、ゼッケン１全体を取り外すことができる。
【００３６】
さらに、上述したゼッケン１は、収納時には、次のようにして、コンパクトな形状に変形させることができる。以下、図２等を用いて説明する。
【００３７】
本実施形態にかかるゼッケン１は、競技者等が装着して使用する場合には、上述したように、図１に示すような形状にて使用されるが、未使用時には、コンパクトな形状に変形させることができる。具体的には、図１に示されるゼッケン１（使用時のゼッケン１）は、図３に示されるゼッケン１（未使用時のゼッケン１）に変形可能である。
【００３８】
図１に示すゼッケン１を変形させる場合には、まず、図２（ａ）に示すように、図１の状態から胸面側シート体１０（図２（ａ）の二点鎖線にて表示）を背面側シート体２０側に折り返し（図２（ａ）の二点鎖線にて示した矢印方向に折り返し）、さらに、胸面側シート体１０を（図２（ａ）の実線にて表示）、胸面側シート体表面１０Ａが背面側シート体表面２０Ａに接触する方向（図２（ａ）の実線にて示した矢印方向）に移動させる。
【００３９】
次に、図２（ａ）に示すようにして、胸面側シート体表面１０Ａと背面側シート体２０Ａとを接触させ重ね合わせたゼッケン１は、第一折畳線Ｌ１にて山折りにて折り畳まれ（図面表面側が「山」となるように折り畳まれ）、また、第二折畳線Ｌ２にて山折りにて折り畳まれ、さらに、第三折畳線Ｌ３にて山折りにて折り畳まれる。このようにして折り畳まれた状態のゼッケン１を示しているのが、図２（ｃ）である。なお、この際、装着紐部４１，４２，４３，４４，４５，４６は、適宜、シート体１０，２０の内部に畳み込む等している。
【００４０】
上記のようにして折り畳まれたゼッケン１（図２（ｃ）参照）は、次に、背面側シート体裏面２０Ｂと収納部開口部３０Ｃとの間に両手の親指を挿入し（図２（ｄ）上図参照）、収納部３０を裏返して（収納部表面３０Ａと収納部裏面３０Ｂとを引っ繰り返して）（図２（ｄ）下図参照）、二つのシート体１０，２０および全ての装着紐部４１，４２，４３，４４，４５，４６は、収納部３０内に収納されることとなる（図２（ｅ）参照）。
【００４１】
本実施形態にかかるゼッケン１は、以上のように構成されており、その構成に基づき、使用時および収納時において、次のような作用効果を有する。
【００４２】
本実施形態にかかるゼッケン１は、胸面側シート体１０および背面側シート体１０を備えたゼッケン１であって、胸面側シート体１０および背面側シート体２０の少なくとも一方の裏面に（本実施形態においては、背面側シート体２０の裏面に）、個々を識別可能な収納部３０が設けられており、胸面側シート体１０および背面側シート体２０が、それぞれのシート体１０，２０の表面１０Ａ，２０Ａを接触させ重ね合わせてから折り畳まれた状態で、収納部３０を裏返すことによって、収納部３０内に収納可能であるべく構成されている。
【００４３】
このような構成によれば、胸面側シート体１０および背面側シート体２０が折り畳まれた状態で収納部３０内に収納されるため、ゼッケン１は、コンパクトな形状にてダンボール箱等に整理して保管・管理可能となる。また、本考案によれば、収納部３０は、個々を識別可能に構成されている。より具体的には、収納部３０の表面３０Ａ（収納部３０を裏返したときの収納部表面３０Ａ）に、ゼッケン番号等を記載可能な収納部記載領域３１が設けられている。したがって、このような構成によれば、それぞれのシート体１０，２０が折り畳まれた状態で、個々を識別可能な収納部３０内に収納されているため、容易に収納可能であると共に、必要とされる番号等を容易に探すことができるゼッケン１を得ることができる。
【００４４】
また、本実施形態にかかるゼッケン１は、胸面側シート体１０の表面１０Ａおよび背面側シート体２０の表面２０Ａの少なくとも一方に（本実施形態においては、両シート体１０，２０の表面１０Ａ，２０Ａに）、着脱自在の補助シート体５０，６０が設けられている。
【００４５】
このような構成によれば、上述した効果に加え、補助シート体５０，６０を利用することによって、ゼッケン１を多用途に利用可能である。つまり、補助シート体５０，６０を必要に応じて取替え可能であるため、ゼッケン１全体の書き換え等を行うことなく、ゼッケン１を複数の用途に使用可能となる。
【００４６】
さらに、本実施形態にかかるゼッケン１は、胸面側シート体１０および背面側シート体２０を備えたゼッケン１であって、胸面側シート体１０と背面側シート体２０とが複数の装着紐部４１，４２，４３，４４，４５，４６にて連結されており、少なくとも一つの装着紐部の一方端部が（本実施形態においては、第五装着紐部４５の一方端部および第六装着紐部４６の一方端部が）、胸面側シート体１０および背面側シート体２０の少なくとも一方に対して（本実施形態においては、背面側シート体２０に対して）着脱自在に設けられており、胸面側シート体１０の表面１０Ａおよび背面側シート体２０の表面２０Ａの少なくとも一方に（本実施形態においては、両方のシート体１０，２０の表面１０Ａ，２０Ａに）、着脱自在の補助シート体５０，６０が設けられており、胸面側シート体１０および背面側シート体２０の少なくとも一方の裏面に（本実施形態においては、背面側シート体２０の裏面に）、個々を識別可能な収納部３０が設けられており、装着紐部４１，４２，４３，４４，４５，４６、胸面側シート体１０、および背面側シート体２０が、それぞれのシート体１０，２０の表面を接触させ重ね合わせてから折り畳まれた状態で、収納部３０を裏返すことによって、収納部３０内に収納可能であるべく構成されている。
【００４７】
このような構成によれば、装着紐部４１，４２，４３，４４，４５，４６、胸面側シート体１０、および背面側シート体２０が折り畳まれた状態で収納部３０内に収納されるため、ゼッケン１は、コンパクトな形状にてダンボール箱等に整理して保管・管理可能となる。また、本考案によれば、収納部３０は、個々を識別可能に構成されている（本実施形態によれば、収納部３０の表面３０Ａ（収納部３０を裏返したときの収納部表面３０Ａ）に、ゼッケン番号等を記載可能な収納部記載領域３１が設けられている）。さらに、本考案によれば、補助シート体５０，６０を利用することによって、ゼッケン１を多用途に利用可能である。つまり、補助シート体５０，６０を必要に応じて取替え可能であるため、ゼッケン１全体の書き換え等を行うことなく、ゼッケン１を複数の用途に使用可能となる。
【００４８】
したがって、このような構成によれば、それぞれのシート体１０，２０や装着紐部４１，４２，４３，４４，４５，４６が折り畳まれた状態で、個々を識別可能な収納部３０内に収納されているため、容易に収納可能であると共に、必要とされる番号等を容易に探すことができるゼッケン１を得ることができる。
【００４９】
以上のことから、本実施形態によれば、容易に収納可能であると共に、必要とされる番号等を容易に探すことができるゼッケン１を得ることができる。すなわち、本実施形態によれば、収納・保管・管理・検索性に優れたゼッケン１を得ることができる。
【００５０】
＜その他の実施例等＞
なお、本考案は、上記実施形態に限定されるものではなく、本考案の趣旨に適合し得る範囲で必要に応じて種々の変更を加えて実施することも可能であり、それらはいずれも本考案の技術的範囲に含まれる。
【００５１】
上記実施形態においては、背面側シート体２０の裏面２０Ｂに収納部３０を設けた構成について説明したが、本発明はこの構成に限定されない。したがって、例えば、胸面側シート体１０の裏面１０Ｂに収納部３０を設けてもよく、必要に応じて、それぞれのシート体１０，２０の各裏面１０Ｂ，２０Ｂに設けてもよい。
【００５２】
また、上記実施形態においては、胸面側シート体１０と背面側シート体２０とを連結するために、六つの装着紐部４１，４２，４３，４４，４５，４６を用いる場合について説明したが、本発明はこの構成に限定されない。したがって、例えば、第三装着紐部４３および第五装着紐部４５を用いることなく、四つの装着紐部４１，４２，４４，４６を用いて胸面側シート体１０と背面側シート体２０とを連結すべく構成してもよい。
【００５３】
さらに、上記実施形態においては、装着紐部の一方端部４７，４８および補助シート体５０，６０を着脱自在な構成とするために、面ファスナを用いる場合について説明したが、本発明はこの構成に限定されず、これらの構成要素が着脱自在であれば、如何なる構成であってもよい。したがって、例えば、ホックやボタン等を用いてもよい。
【図面の簡単な説明】
【００５４】
【図１】本考案の実施形態にかかるゼッケンの概略斜視図である。
【図２】本考案の実施形態にかかるゼッケンの収納方法に関する説明図である。
【図３】本考案の実施形態にかかるゼッケンを収納した状態を示す概略斜視図である。
【図４】本考案の実施形態にかかるゼッケンを構成する補助シート体に関する説明図である。
【符号の説明】
【００５５】
１…ゼッケン
１０…胸面側シート体
１０Ａ…胸面側シート体表面
１０Ｂ…胸面側シート体裏面
１４…胸面側第一取付部
１５…胸面側第二取付部
１６…胸面側第三取付部
１７…胸面側第四取付部
１８…胸面側第五取付部
１９…胸面側第六取付部
２０…背面側シート体
２０Ａ…背面側シート体表面
２０Ｂ…背面側シート体裏面
２４…背面側第一取付部
２５…背面側第二取付部
２６…背面側第三取付部
２７…背面側第四取付部
２８…背面側第五取付部
２９…背面側第六取付部
３０…収納部
３０Ａ…収納部表面
３０Ｂ…収納部裏面
３０Ｃ…収納部開口部
３１…収納部記載領域
３２…第一記載部
３３…第二記載部
３４…第三記載部
４１…第一装着紐部
４２…第二装着紐部
４３…第三装着紐部
４４…第四装着紐部
４５…第五装着紐部
４６…第六装着紐部
４７…上部取付部
４８…下部取付部
５０…胸面側補助シート体
５０Ａ…胸面側補助シート体表面
５０Ｂ…胸面側補助シート体裏面
５４…胸面側補助シート体第一取付部
５５…胸面側補助シート体第二取付部
５６…胸面側補助シート体第三取付部
５７…胸面側補助シート体第四取付部
５８…胸面側補助シート体第五取付部
５９…胸面側補助シート体第六取付部
６０…背面側補助シート体
６０Ａ…背面側補助シート体表面
６０Ｂ…背面側補助シート体裏面
６４…背面側補助シート体第一取付部
６５…背面側補助シート体第二取付部
６６…背面側補助シート体第三取付部
６７…背面側補助シート体第四取付部
６８…背面側補助シート体第五取付部
６９…背面側補助シート体第六取付部
７７…上部被取付部
７８…下部被取付部
Ｌ１…第一折畳線
Ｌ２…第二折畳線
Ｌ３…第三折畳線
【図１】
0003134825.tif 000003
【図２】
0003134825.tif 000004
【図３】
0003134825.tif 000005
【図４】
0003134825.tif 000006